【手続補正書】
【提出日】平成19年10月26日(2007.10.26)
【手続補正１】
【補正対象書類名】明細書
【補正対象項目名】特許請求の範囲
【補正方法】変更
【補正の内容】
【特許請求の範囲】
【請求項１】  （ａ）フーディア属（Ｈｏｏｄｉａ）もしくはトリコカウロン属（Ｔｒｉｃｈｏｃａｕｌｏｎ）植物の抽出物；または
（ｂ）次式の化合物：
【化１】
2001158741.tif 000001
［式中：
Ｒ＝１〜４個の炭素原子を含むアルキル基；
Ｒ１＝Ｈ、１〜４個の炭素原子を含むアルキル基、または有機エステル基；
Ｒ２＝Ｈ、もしくは１以上の６−デオキシ炭水化物、もしくは１以上の２，６−ジデオキシ炭水化物、もしくはグルコース、またはそれらの組合わせ；
アシル基Ｒ−（Ｃ＝Ｏ）−基は還元形Ｒ−（Ｃ−ＯＨ）−であってもよい；
点線はＣ４−Ｃ５の位置またはＣ５−Ｃ６の位置に二重結合が存在してもよいことを示す］
を含む、動物において胃酸分泌を低下させるための医薬組成物。
【請求項２】  上記有機エステル基がチグロイルまたはベンゾイルまたはアントラニロイルである、請求項１に記載の医薬組成物。
【請求項３】  Ｒが１〜４個の炭素原子を有するアルキル基であり；Ｒ１がチグロイルまたはアントラニロイルであり；かつＣ５−Ｃ６の位置に二重結合が存在する、請求項１に記載の医薬組成物。
【請求項４】  Ｒ２が三糖基である、請求項１に記載の医薬組成物。
【請求項５】  上記三糖基の成分糖が６−デオキシおよび／または２，６−ジデオキシヘキソースである、請求項４に記載の医薬組成物。
【請求項６】  末端ヘキソース部分がテベトシルである、請求項５に記載の医薬組成物。
【請求項７】  化合物が３−Ｏ−［−β−Ｄ−テベトピラノシル−（１→４）−β−Ｄ−シマロピラノシル−（１→４）−β−Ｄ−シマロピラノシル］−１２β−Ｏ−チグロイルオキシ−１４−ヒドロキシ−１４β−プレグン−５−エン−２０−オンである、請求項１に記載の医薬組成物。
【請求項８】  （ａ）フーディア属もしくはトリコカウロン属植物の抽出物；または
（ｂ）次式の化合物：
【化２】
2001158741.tif 000002
［式中：
Ｒ＝１〜４個の炭素原子を含むアルキル基；
Ｒ１＝Ｈ、１〜４個の炭素原子を含むアルキル基、または有機エステル基；
Ｒ２＝Ｈ、もしくは１以上の６−デオキシ炭水化物、もしくは１以上の２，６−ジデオキシ炭水化物、もしくはグルコース、またはそれらの組合わせ；
アシル基Ｒ−（Ｃ＝Ｏ）−基は還元形Ｒ−（Ｃ−ＯＨ）−であってもよい；
点線はＣ４−Ｃ５の位置またはＣ５−Ｃ６の位置に二重結合が存在してもよいことを示す］
を含む、動物において消化器系の障害を処置するための医薬組成物。
【請求項９】  障害が逆流性食道炎である、請求項８に記載の医薬組成物。
【請求項１０】  障害が上腹部痛である、請求項８に記載の医薬組成物。
【請求項１１】  障害が消化障害である、請求項８に記載の医薬組成物。
【請求項１２】  障害が胃潰瘍形成である、請求項８に記載の医薬組成物。
【請求項１３】  障害が酸吸引である、請求項８に記載の医薬組成物。
【請求項１４】  有効量の
（ａ）フーディア属もしくはトリコカウロン属植物の抽出物；または
（ｂ）次式の化合物：
【化３】
2001158741.tif 000003
［式中：
Ｒ＝１〜４個の炭素原子を含むアルキル基；
Ｒ１＝Ｈ、１〜４個の炭素原子を含むアルキル基、または有機エステル基；
Ｒ２＝Ｈ、もしくは１以上の６−デオキシ炭水化物、もしくは１以上の２，６−ジデオキシ炭水化物、もしくはグルコース、またはそれらの組合わせ；
アシル基Ｒ−（Ｃ＝Ｏ）−基は還元形Ｒ−（Ｃ−ＯＨ）−であってもよい；
点線はＣ４−Ｃ５の位置またはＣ５−Ｃ６の位置に二重結合が存在してもよいことを示す］
を含む、哺乳動物の消化管を非ステロイド系抗炎症薬により生じる損傷から保護するための医薬組成物。
【請求項１５】  有効量の３−Ｏ−［−β−Ｄ−テベトピラノシル−（１→４）−β−Ｄ−シマロピラノシル−（１→４）−β−Ｄ−シマロピラノシル］−１２β−Ｏ−チグロイルオキシ−１４−ヒドロキシ−１４β−プレグン−５−エン−２０−オンまたはその誘導体を含む、哺乳動物の消化管を非ステロイド系抗炎症薬により生じる損傷から保護するための医薬組成物。
【請求項１６】  上記抽出物が植物フーディア・ゴルドニイ（Ｈｏｏｄｉａ  ｇｏｒｄｏｎｉｉ）の噴霧乾燥汁を含む、請求項１〜１５のいずれか１項に記載の医薬組成物。
【請求項１７】  動物または哺乳動物がヒトである、請求項１〜１６のいずれか１項に記載の医薬組成物。
【請求項１８】  非ステロイド系抗炎症薬、および次式の化合物：
【化４】
2001158741.tif 000004
［式中：
Ｒ＝１〜４個の炭素原子を含むアルキル基；
Ｒ１＝Ｈ、１〜４個の炭素原子を含むアルキル基、または有機エステル基；
Ｒ２＝Ｈ、もしくは１以上の６−デオキシ炭水化物、もしくは１以上の２，６−ジデオキシ炭水化物、もしくはグルコース、またはそれらの組合わせ；
アシル基Ｒ−（Ｃ＝Ｏ）−基は還元形Ｒ−（Ｃ−ＯＨ）−であってもよい；
点線はＣ４−Ｃ５の位置またはＣ５−Ｃ６の位置に二重結合が存在してもよいことを示す］
を含む医薬組成物。
【請求項１９】  化合物が３−Ｏ−［−β−Ｄ−テベトピラノシル−（１→４）−β−Ｄ−シマロピラノシル−（１→４）−β−Ｄ−シマロピラノシル］−１２β−Ｏ−チグロイルオキシ−１４−ヒドロキシ−１４β−プレグン−５−エン−２０−オンまたはその誘導体である、請求項１８に記載の医薬組成物。
【請求項２０】  単位剤形で製造された、請求項１８または１９に記載の医薬組成物。
【請求項２１】  動物において胃酸分泌により発生または悪化した状態または障害を処置するためである、請求項１８、１９または２０に記載の医薬組成物。
【請求項２２】  上記動物がヒトである、請求項２１に記載の医薬組成物。
【請求項２３】  次式の化合物：
【化５】
2001158741.tif 000005
［式中：
Ｒ＝１〜４個の炭素原子を含むアルキル基；
Ｒ１＝Ｈ、１〜４個の炭素原子を含むアルキル基、または有機エステル基；
Ｒ２＝Ｈ、もしくは１以上の６−デオキシ炭水化物、もしくは１以上の２，６−ジデオキシ炭水化物、もしくはグルコース、またはそれらの組合わせ；
アシル基Ｒ−（Ｃ＝Ｏ）−基は還元形Ｒ−（Ｃ−ＯＨ）−であってもよい；
点線はＣ４−Ｃ５の位置またはＣ５−Ｃ６の位置に二重結合が存在してもよいことを示す］を含む、胃酸分泌により発生または悪化した状態または障害を処置するための医薬組成物。
【請求項２４】  化合物が３−Ｏ−［−β−Ｄ−テベトピラノシル−（１→４）−β−Ｄ−シマロピラノシル−（１→４）−β−Ｄ−シマロピラノシル］−１２β−Ｏ−チグロイルオキシ−１４−ヒドロキシ−１４β−プレグン−５−エン−２０−オンまたはその誘導体である、請求項２３に記載の医薬組成物。
【請求項２５】  状態または障害が逆流性食道炎である、請求項２３または２４に記載の医薬組成物。
【請求項２６】  状態または障害が胃もしくは十二指腸の潰瘍形成；胃−十二指腸びらん；または上腹部痛である、請求項２３または２４に記載の医薬組成物。
【請求項２７】  フーディア属もしくはトリコカウロン属植物の抽出物を含む、胃酸分泌により発生または悪化した状態および障害を処置するための医薬組成物。
【請求項２８】  フーディア属もしくはトリコカウロン属植物の抽出物を含む、逆流性食道炎を処置するための医薬組成物。
【請求項２９】  フーディア属もしくはトリコカウロン属植物の抽出物を含む、非ステロイド系抗炎症薬の使用に伴う胃の損傷を予防または軽減するための医薬組成物。
【請求項３０】  ３−Ｏ−［−β−Ｄ−テベトピラノシル−（１→４）−β−Ｄ−シマロピラノシル−（１→４）−β−Ｄ−シマロピラノシル］−１２β−Ｏ−チグロイルオキシ−１４−ヒドロキシ−１４β−プレグン−５−エン−２０−オンまたはその誘導体を含む、非ステロイド系抗炎症薬の使用に伴う胃の損傷を予防または軽減するための医薬組成物。